(57)【要約】【課題】プラグの着脱時にプラグの栓刃とダクトの導体との間に発生するアーク放電を抑制し、過熱等の不具合の発生を防止できるプラグ、これを用いた照明器具、および照明システムを提供する。【解決手段】ダクト２の導体２２から受電した電力を負荷へ供給するプラグ１であって、栓刃１３ａは、開口部２１ｄを介してダクト２内に挿入されて回動することによって、導体２２に接し、開閉部５は、栓刃１３ａを介した負荷への電力供給路を導通・遮断し、操作部１４は、ダクト２内に挿入された栓刃１３ａが回動を開始してから、所定の取り付け完了位置に至るまで、遮断位置から導通位置への切り替えが、ダクト２に干渉することによって不可能であり、栓刃１３ａが取り付け完了位置にある場合、遮断位置から導通位置に切り替え可能である。【選択図】図１
2014032870.tif 000002
【特許請求の範囲】
【請求項１】
長尺中空のケースの一面に長手方向に開口部を形成し、前記ケースの内部に前記長手方向に沿って導体を保持するダクトの前記一面側に取り付けられ、前記導体から受電した電力を負荷へ供給するプラグであって、
所定の向きで前記開口部を介して前記ケース内に挿入されて回動することによって、前記導体に接する栓刃と、
前記栓刃を介した前記負荷への電力供給路を導通・遮断する開閉部と、
前記開閉部によって前記電力供給路を導通させる導通位置、前記開閉部によって前記電力供給路を遮断させる遮断位置の間を変位する操作部と、
を備え、
前記操作部は、前記ケース内に挿入された前記栓刃が回動を開始してから、所定の取り付け完了位置に至るまで、前記遮断位置から前記導通位置への切り替えが、前記ダクトに干渉することによって不可能であり、前記栓刃が前記取り付け完了位置にある場合、前記遮断位置から前記導通位置に切り替え可能である
ことを特徴とするプラグ。
【請求項２】
前記操作部は、前記ケースの前記一面の法線方向に移動可能に構成され、
前記ケース内に挿入された前記栓刃が回動を開始してから、前記取り付け完了位置に至るまで、前記遮断位置に切り替えられた前記操作部の端面が前記ダクトの一面に対向して位置し、
前記栓刃が前記取り付け完了位置にある場合、前記導通位置に切り替えられた前記操作部が前記ケースの前記開口部に嵌合する
ことを特徴とする請求項１記載のプラグ。
【請求項３】
前記操作部は、前記栓刃を前記取り付け完了位置に固定する位置決め部を兼用することを特徴とする請求項２記載のプラグ。
【請求項４】
前記操作部は、回転方向、または前記ケースの前記一面の法線方向に変位可能に構成され、
前記ケース内に挿入された前記栓刃が回動を開始してから、前記取り付け完了位置に至る前まで、前記遮断位置に切り替えられた前記操作部の端面が前記ダクトの一面に対向して位置し、
前記栓刃が前記取り付け完了位置にある場合、前記導通位置に切り替えられた前記操作部の少なくとも一部が前記ダクトの前記長手方向の側面に対向して位置する
ことを特徴とする請求項１記載のプラグ。
【請求項５】
前記栓刃が前記取り付け完了位置にあるときに前記ケースの前記開口部に嵌合する位置決め部を備えることを特徴とする請求項４記載のプラグ。
【請求項６】
前記開閉部は、前記操作部の変位に連動して、弾性体を介して前記栓刃を移動させることによって、前記栓刃を前記導体に接離させることを特徴とする請求項１乃至５いずれか記載のプラグ。
【請求項７】
前記開閉部は、
前記操作部の変位に連動して回転する回転板と、
弾性を有し、前記回転板が当接した場合に撓むことによって前記栓刃との間の電力供給路を導通・遮断する端子板と
を備えることを特徴とする請求項１乃至５いずれか記載のプラグ。
【請求項８】
長尺中空のケースの一面に長手方向に開口部を形成し、前記ケースの内部に前記長手方向に沿って導体を保持するダクトに取り付けられ、前記導体から受電する請求項１乃至７いずれか記載のプラグと、
前記プラグから電力を供給される灯具と
を備えることを特徴とする照明器具。
【請求項９】
長尺中空のケースの一面に長手方向に開口部を形成し、前記ケースの内部に前記長手方向に沿って導体を保持するダクトと、
実施形態８記載の１乃至複数の照明器具と
を備えることを特徴とする照明システム。
【発明の詳細な説明】
【技術分野】
【０００１】
本発明は、ダクトに取り付けられるプラグ、これを用いた照明器具、および照明システムに関するものである。
【背景技術】
【０００２】
従来、図１７に示すように、プラグ１００をダクト２００に取り付け、ダクト２００からプラグ１００を介して負荷へ電力を供給する給電ダクトシステムが知られている（例えば、特許文献１，２参照）。プラグ１００には、アーム４００により灯具３００が取り付けられ、スポットライトを構成している。
【０００３】
灯具３００は、円環状の前面枠３０１が一端部に配設されたセード３０２と、セード３０２を挟んで前面枠３０１の反対側に配設されたケース３０３とを備え、セード３０２内には、ＬＥＤ素子等の光源（図示なし）が収容される。ケース３０３内には、点灯装置（図示なし）が収容される。
【０００４】
アーム４００は、灯具３００を挟持する一対の保持片４０１と、一対の保持片４０１同士を結合するアーム回転軸４０２とを備える。灯具３００は、例えば、一対の保持片４０１にそれぞれ取り付けられた軸ねじによりアーム４００に回動自在に支持される。
【０００５】
プラグ１００は、中空の円柱状のプラグ本体１０１を備える。プラグ本体１０１の一端面は、アーム４００のアーム回転軸４０２に回転自在、且つ着脱自在に装着される。
【０００６】
そして、図１８に示すように、プラグ本体１０１の他端面には、プラグ取付部１０２が設けられており、プラグ取付部１０２がダクト２００に取り付けられる。
【０００７】
プラグ取付部１０２は、矩形柱状の柱体部１０２ａの両側面から平板状の取付板１０２ｂを各々突設している。すなわち、一対の取付板１０２ｂは、互いに反対方向に突出している。
【０００８】
さらに、プラグ取付部１０２は、導体からなる一対の導体板１０３を収納している。この導体板１０３の各一端には栓刃１０３ａが設けられている。一対の栓刃１０３ａは、柱体部１０２ａの先端面に設けた一対の開口１０２ｃから露出しており、栓刃１０３ａの各々は、取付板１０２ｂの突出方向と同方向に延びて、柱体部１０２ａの両側面より突出している。すなわち、一対の栓刃１０３ａは、互いに反対方向に突出している。そして、この栓刃１０３ａは、プラグ本体１０１内に収納された導体板１０３を含む電路、電線等で構成される電力供給路を介して、灯具３００に電気的に接続している。
【０００９】
ダクト２００は、図１８に示すように、長尺中空のケース２０１の長手方向に開口部２０１ｄを形成し、ケース２０１の内部に長手方向に沿って導体２０２を保持している。なお、図１８は、図１７を平面Ｈ１００で切った断面を示す。
【００１０】
ケース２０１は、断面が略矩形状の長尺中空に形成されており、後壁部２０１ａが、天井面、壁面等の構造面に取り付けられる。後壁部２０１ａの両側端縁（すなわち、長手方向の端縁）からは、側壁部２０１ｂが略垂直に延設されており、両側壁部２０１ｂの端縁から互いに対向する方向に、一対の前壁部２０１ｃが延設される。そして、一対の前壁部２０１ｃの間には、ケース２０１の長手方向に沿った開口部２０１ｄが形成されている。
【００１１】
そして、両側壁部２０１ｂの各内面には、挿入溝２０１ｅ，２０１ｆが、ケース２０１の長手方向に沿って形成されている。さらに、挿入溝２０１ｆの底面には、長尺状の導体２０２を取り付けている。
【００１２】
そして、プラグ１００のプラグ取付部１０２は、取付板１０２ｂの突出方向（栓刃１０３ａの突出方向）をダクト２００の長手方向に合わせた状態で、ダクト２００の開口部２０１ｄに挿入可能である。開口部２０１ｄに挿入されたプラグ取付部１０２は、プラグ１００が回動することによって、取付板１０２ｂが、挿入溝２０１ｅに挟み込まれながら摺動する。そして、プラグ取付部１０２が略９０度回動すると、プラグ取付部１０２は、取付板１０２ｂの突出方向がダクト２００の短手方向に一致した状態で、ダクト２００の前壁部２０１ｃ側の面に取り付けられる。
【００１３】
このとき、開口部２０１ｄに挿入されたプラグ取付部１０２が回動することによって、栓刃１０３ａも、その突出方向がダクト２００の長手方向に一致した状態から、挿入溝２０１ｆに挟み込まれながら摺動する。そして、プラグ取付部１０２が略９０度回動すると、栓刃１０３ａの先端は、導体２０２に接触しており、導体板１０３は、導体２００から直流電力を受電可能となる。而して、プラグ１００は、導体板１０３を含む電力供給路を介して灯具３００へ直流電力を供給する。
【先行技術文献】
【特許文献】
【００１４】
【特許文献１】特開平２−１４２００５号公報
【特許文献２】特開２００３−３３３７２７号公報
【発明の概要】
【発明が解決しようとする課題】
【００１５】
開口部２０１ｄに挿入されたプラグ取付部１０２は、９０度回動した時点で、取り付け完了位置（栓刃１０３ａの先端面が、導体２０２の表面に対して、アーク放電を抑制可能な十分な接触面積で接触する位置）に至る。
【００１６】
しかしながら、図１８に示すように、プラグ取付部１０２が９０度回動するまでに、栓刃１０３ａの先端面が導体２０２の表面に十分に接触していない中途半端な接触状態が発生する。この状態で、灯具３００へ給電が開始された場合、栓刃１０３ａと導体２０２との間にアーク放電が発生し、過熱等の不具合が発生する虞がある。
【００１７】
本発明は、上記事由に鑑みてなされたものであり、その目的は、プラグの着脱時にプラグの栓刃とダクトの導体との間に発生するアーク放電を抑制し、過熱等の不具合の発生を防止できるプラグ、これを用いた照明器具、および照明システムを提供することにある。
【課題を解決するための手段】
【００１８】
本発明のプラグは、長尺中空のケースの一面に長手方向に開口部を形成し、前記ケースの内部に前記長手方向に沿って導体を保持するダクトの前記一面側に取り付けられ、前記導体から受電した電力を負荷へ供給するプラグであって、所定の向きで前記開口部を介して前記ケース内に挿入されて回動することによって、前記導体に接する栓刃と、前記栓刃を介した前記負荷への電力供給路を導通・遮断する開閉部と、前記開閉部によって前記電力供給路を導通させる導通位置、前記開閉部によって前記電力供給路を遮断させる遮断位置の間を変位する操作部と、を備え、前記操作部は、前記ケース内に挿入された前記栓刃が回動を開始してから、所定の取り付け完了位置に至るまで、前記遮断位置から前記導通位置への切り替えが、前記ダクトに干渉することによって不可能であり、前記栓刃が前記取り付け完了位置にある場合、前記遮断位置から前記導通位置に切り替え可能であることを特徴とする。
【００１９】
この発明において、前記操作部は、前記ケースの前記一面の法線方向に移動可能に構成され、前記ケース内に挿入された前記栓刃が回動を開始してから、前記取り付け完了位置に至るまで、前記遮断位置に切り替えられた前記操作部の端面が前記ダクトの一面に対向して位置し、前記栓刃が前記取り付け完了位置にある場合、前記導通位置に切り替えられた前記操作部が前記ケースの前記開口部に嵌合することが好ましい。
【００２０】
この発明において、前記操作部は、前記栓刃を前記取り付け完了位置に固定する位置決め部を兼用することが好ましい。
【００２１】
この発明において、前記操作部は、回転方向、または前記ケースの前記一面の法線方向に変位可能に構成され、前記ケース内に挿入された前記栓刃が回動を開始してから、前記取り付け完了位置に至る前まで、前記遮断位置に切り替えられた前記操作部の端面が前記ダクトの一面に対向して位置し、前記栓刃が前記取り付け完了位置にある場合、前記導通位置に切り替えられた前記操作部の少なくとも一部が前記ダクトの前記長手方向の側面に対向して位置することが好ましい。
【００２２】
この発明において、前記栓刃が前記取り付け完了位置にあるときに前記ケースの前記開口部に嵌合する位置決め部を備えることが好ましい。
【００２３】
この発明において、前記開閉部は、前記操作部の変位に連動して、弾性体を介して前記栓刃を移動させることによって、前記栓刃を前記導体に接離させることが好ましい。
【００２４】
この発明において、前記開閉部は、前記操作部の変位に連動して回転する回転板と、弾性を有し、前記回転板が当接した場合に撓むことによって前記栓刃との間の電力供給路を導通・遮断する端子板とを備えることが好ましい。
【００２５】
本発明の照明器具は、長尺中空のケースの一面に長手方向に開口部を形成し、前記ケースの内部に前記長手方向に沿って導体を保持するダクトに取り付けられ、前記導体から受電する本発明のプラグと、前記プラグから電力を供給される灯具とを備えることを特徴する。
【００２６】
本発明の照明システムは、長尺中空のケースの一面に長手方向に開口部を形成し、前記ケースの内部に前記長手方向に沿って導体を保持するダクトと、本発明の１乃至複数の照明器具とを備えることを特徴とする。
【発明の効果】
【００２７】
以上説明したように、本発明では、栓刃が所定の取り付け完了位置に至るまで、操作部の遮断位置から導通位置への切り替えが不可能であるので、プラグの着脱時にプラグの栓刃とダクトの導体との間に発生するアーク放電を抑制し、過熱等の不具合の発生を防止できるという効果がある。
【図面の簡単な説明】
【００２８】
【図１】（ａ）（ｂ）実施形態１のプラグの構成を示す斜視図である。
【図２】（ａ）（ｂ）同上のプラグの外観を示す斜視図である。
【図３】同上の導体板の構成を示す斜視図である。
【図４】（ａ）（ｂ）同上の開閉部の構成を示す斜視図である。
【図５】同上の照明システムの一部を示す斜視図である。
【図６】実施形態２の開閉部の概念を示す斜視図である。
【図７】（ａ）（ｂ）同上のプラグの外観を示す斜視図である。
【図８】（ａ）（ｂ）同上のプラグの内部を一部示す破断図である。
【図９】同上のダクトの構成を示す断面図である。
【図１０】実施形態３の開閉部の概略を示す斜視図である。
【図１１】同上の開閉部の概略を示す斜視図である。
【図１２】同上のプラグとダクトの着脱時の構成を示す一部破断した平面図である。
【図１３】同上のプラグとダクトの着脱時の構成を示す一部破断した平面図である。
【図１４】同上のプラグとダクトの着脱時の構成を示す一部破断した平面図である。
【図１５】同上のプラグとダクトの着脱時の構成を示す一部破断した平面図である。
【図１６】実施形態４の照明器具、照明システムの構成を示す概略図である。
【図１７】従来の照明システムの構成を示す斜視図である。
【図１８】従来の照明システムの一部を示す一部破断した斜視図である。
【発明を実施するための形態】
【００２９】
以下、本発明の実施の形態を図面に基づいて説明する。
【００３０】
（実施形態１）
図５は、本実施形態のプラグ１をダクト２に取り付け、ダクト２からプラグ１を介して灯具３へ直流電力を供給する照明システムの概略を示す。
【００３１】
プラグ１には、アーム４により灯具３が取り付けられ、スポットライト（本発明の照明器具）を構成している。但し、プラグ１から直流電力を供給される負荷は、灯具３に限定されるものではない。
【００３２】
灯具３は、円環状の前面枠３１が一端部に配設されたセード３２と、セード３２を挟んで前面枠３１の反対側に配設されたケース３３とを備え、セード３２内には、ＬＥＤ素子等の光源（図示なし）が収容される。ケース３３内には、点灯装置（図示なし）が収容される。
【００３３】
アーム４は、灯具３を挟持する一対の保持片４１と、一対の保持片４１同士を結合するアーム回転軸４２とを備える。灯具３は、例えば、一対の保持片４１にそれぞれ取り付けられた軸ねじによりアーム４に回動自在に支持される。
【００３４】
プラグ１の構成を図２（ａ）（ｂ）に示す。なお、以下の説明では、図２（ａ）（ｂ）において上下方向を規定している。
【００３５】
プラグ１は、中空の円柱状のプラグ本体１１を備える。プラグ本体１１の下面は、アーム４のアーム回転軸４２に回転自在、且つ着脱自在に装着される。そして、プラグ本体１１の上面には、プラグ取付部１２が設けられており、プラグ取付部１２がダクト２に取り付けられる。
【００３６】
プラグ取付部１２は、矩形柱状の柱体部１２ａの両側面から平板状の取付板１２ｂを各々突設している。すなわち、一対の取付板１２ｂは、互いに反対方向に突出している。
【００３７】
さらに、プラグ取付部１２は、導体からなる一対の導体板１３を収納している。導体板１３は、図３に示すように、連結片１３ｂと、連結片１３ｂの一端側を略直角に折曲した栓刃１３ａと、連結片１３ｂの他端側に設けた略コの字状の固定片１３ｃとを備える。
【００３８】
栓刃１３ａは、柱体部１２ａの両側面から露出しており、栓刃１３ａの各々は、取付板１２ｂの突出方向と同方向に延びて、柱体部１２ａの両側面より突出している。すなわち、一対の栓刃１３ａは、互いに反対方向に突出している。そして、この導体板１３は、図示しない電路、電線等で構成される電力供給路を介して、灯具３に電気的に接続している。
【００３９】
また、固定片１３ｃは、略コの字状に形成され、互いに対向する対向片１３ｄ，１３ｅと、対向片１３ｄ，１３ｅを互いに連結する中央片１３ｆとで構成され、中央片１３ｆが連結片１３ｂに一体に連続している。さらに、中央片１３ｆは、開口１３ｇを略中央に形成し、対向片１３ｄ，１３ｅに挟まれた側では、開口１３ｇの周縁に円環状の突部１３ｈを設けている。
【００４０】
そして、プラグ本体１１の側面において、取付板１２ｂの突出方向に直交する方向の一方には、上面を開放した溝部１１ａが形成されており、板状の操作部１４が、上下方向に変位可能に溝部１１ａに装着されている。操作部１４の表面は、円柱状のプラグ本体１１の表面に連続するように曲面で構成されており、周方向に沿って形成された複数の突条部１４ａが形成されている。なお、操作部１４が変位する上下方向は、ダクト２の後述するケース２１の下面の法線方向である。
【００４１】
操作部１４は、プラグ本体１１内において、図４（ａ）（ｂ）に示す開閉部５に連結しており、栓刃１３ａは、操作部１４の上下方向の変位に連動して、柱体部１２ａの側面に出入する。
【００４２】
開閉部５は、操作片５１、一対の栓刃保持片５２、一対のばね５３（弾性体）を主要素として備える。
【００４３】
操作片５１は、上面から下面に近付くにつれて広がる斜面５１ａを両側端部に形成した断面台形の板状に構成される。この操作片５１は、操作部１４の裏面に取り付けられて、操作部１４と連動して上下方向に変位する。
【００４４】
栓刃保持片５２は、上下方向に長い板状に形成され、栓刃保持片５２の下面は、斜面５１ａに対向する斜面５２ａが形成されており、操作片５１の斜面５１ａ上に載置される。すなわち、一対の栓刃保持片５２は、操作片５１の両側方向に対向して設けられる。
【００４５】
各栓刃保持片５２の外側面には、矩形状の突片５２ｂが突設されており、この突片５２ｂに導体板１３の固定片１３ｃが固定される。固定片１３ｃの対向片１３ｄ，１３ｅは、突片５２ｂを上下方向から挟み込み、突部１３ｈは、突片５２ｂに設けた円形の開口を挿通して、かしめ等によって固定される。
【００４６】
さらに、ばね５３の一端は、栓刃保持片５２の外側面に固定され、ばね５３の他端は、プラグ本体１１の内周面（または、プラグ本体１１の内周面に設けた図示しない構造体）に固定されている。
【００４７】
以下、図２（ａ）（ｂ）および図４（ａ）（ｂ）を用いて、プラグ１の動作について説明する。
【００４８】
まず、図２（ａ）および図４（ａ）に示すように、操作部１４を上方向に変位させた場合、操作片５１の斜面５１ａも上方に変位し、栓刃保持片５２の斜面５２ａは斜面５１ａ上を摺動して、一対の栓刃保持片５２は、ばね５３のばね力に抗して、ばね５３を圧縮しながら互いに離れる方向に移動する。したがって、一対の栓刃１３ａも互いに離れる方向に移動し、栓刃１３ａが柱体部１２ａの両側面から突出する。このとき、操作部１４は、図示しない保持手段（例えば、係止構造等）によって上限位置に保持され、ばね５３は圧縮状態を維持しており、操作部１４の上端に形成した嵌合部１４ｂが、溝部１１ａの開放端より上方に突出する。ここで、図２（ａ）のように操作部１４を上方に変位させた状態が、開閉部５によって灯具３への電力供給路を導通させる導通位置になる。
【００４９】
次に、図２（ｂ）および図４（ｂ）に示すように、操作部１４を下方向に変位させた場合、操作片５１の斜面５１ａも下方に変位し、栓刃保持片５２の斜面５２ａは斜面５１ａ上を摺動して、一対の栓刃保持片５２は、圧縮されたばね５３のばね力によって互いに近付く方向に移動する。したがって、一対の栓刃１３ａも互いに近付く方向に移動し、栓刃１３ａは、柱体部１２ａの両側面に設けた開口１２ｃを通って、柱体部１２ａ内に収納される。このとき、操作部１４の上端に形成した嵌合部１４ｂは、溝部１１ａの開放端より下方に収まり、ばね５３は平衡位置に戻る。ここで、図２（ｂ）のように操作部１４を下方に変位させた状態が、開閉部５によって灯具３への電力供給路を遮断させる遮断位置になる。
【００５０】
このようなプラグ１をダクト２に着脱するときの動作について、図１（ａ）（ｂ）を用いて、以下説明する。
【００５１】
まず、ダクト２は、長尺中空のケース２１の長手方向に開口部２１ｄを形成し（図５参照）、ケース２１の内部に長手方向に沿って一対の導体２２を保持している。この一対の導体２２間には、例えば直流電圧２４Ｖが印加されている。
【００５２】
ケース２１は、断面が略矩形状の長尺中空に形成されており、後壁部２１ａが、天井面、壁面等の構造面に取り付けられる。後壁部２１ａの両側端縁（すなわち、長手方向の端縁）からは、側壁部２１ｂが略垂直に延設されており、両側壁部２１ｂの端縁から互いに対向する方向に、一対の前壁部２１ｃが延設される。そして、一対の前壁部２１ｃの間には、ケース２１の長手方向に沿った開口部２１ｄが形成されている。
【００５３】
そして、両側壁部２１ｂの各内面には、断面が略Ｈ状の突壁２１ｅが立設している。突壁２１ｅと前壁部２１ｃとの間には、挿入溝２１ｆがケース２１の長手方向に沿って形成される。さらに、突壁２１ｅの先端には、ケース２１の長手方向に沿って挿入溝２１ｇが形成されており、挿入溝２１ｇの底面に長尺状の導体２２を取り付けている。
【００５４】
まず、プラグ１をダクト２に取り付ける場合、プラグ１のプラグ取付部１２は、取付板１２ｂの突出方向（栓刃１３ａの突出方向）をダクト２の長手方向に合わせた状態で、ダクト２の開口部２１ｄに挿入される。このとき、操作部１４の嵌合部１４ｂの上端が、ダクト２の前壁部２１ｃの外面に当接（干渉）し、操作部１４は下方に変位する。したがって、栓刃１３ａは、柱体部１２ａ内に収納される。そして、開口部２１ｄに挿入されたプラグ取付部１２は、プラグ１が一方向へ回動することによって、取付板１２ｂが、挿入溝２１ｆに挟み込まれながら摺動する。
【００５５】
図１（ａ）は、回動中のプラグ１とダクト２との状態を示しており、プラグ１が一方向へ回動している間、操作部１４の嵌合部１４ｂの上端が、ダクト２の前壁部２１ｃの外面に当接（干渉）している。したがって、操作部１４は、下方に変位して、前壁部２１ｃの外面に摺動した状態を維持するので、栓刃１３ａは、柱体部１２ａ内に収納されており、栓刃１３ａは、導体２２に接触することがない。すなわち、プラグ１が一方向へ回動している間、灯具３への給電が開始されることがないので、栓刃１３ａと導体２２との間にアーク放電が発生することを抑制することができる。
【００５６】
そして、図１（ｂ）に示すように、プラグ取付部１２が一方向へ略９０度回動すると、プラグ本体１１の上面の外周の一部に設けた切欠部１１ｂが、ケース２１の下面における一方の側縁端に設けた凸部２１ｈに係止する。このとき、プラグ取付部１２は、取付板１２ｂの突出方向がダクト２の短手方向に一致した状態となり、操作部１４の嵌合部１４ｂは、ダクト２の開口部２１ｄに対向して位置する。そして、ユーザが、操作部１４の突条１４ａに指をかけて、操作部１４を上方に押し上げることによって、操作部１４の嵌合部１４ｂは、上方に変位して、ダクト２の開口部２１ｄに嵌まり込む。操作部１４が上方に変位することによって、栓刃１３ａは、柱体部１２ａの両側面から突出し、栓刃１３ａの先端は、導体２２に接触する。
【００５７】
すなわち、プラグ取付部１２が一方向へ９０度回動するまでに、栓刃１３ａの先端面が導体２２の表面に十分に接触していない中途半端な接触状態が発生することがない。また、プラグ取付部１２が一方向へ９０度回動した取り付け完了位置では、操作部１４が上方に変位することによって、栓刃１３ａの先端面が導体２２の表面に十分に接触するため、アーク放電の発生は抑制される。したがって、ダクト２にプラグ１を取り付ける際に、栓刃１３ａと導体２２との間に発生するアーク放電を抑制でき、過熱等の不具合を防止することができる。
【００５８】
なお、取り付け完了位置とは、栓刃１３ａの先端面が、導体２２の表面に対して、アーク放電を抑制可能な十分な接触面積で接触することが可能になる回動位置のことである。
【００５９】
また、取り付け完了位置において、操作部１４の嵌合部１４ｂがダクト２の開口部２１ｄに嵌まり込むことによって、操作部１４は、プラグ１（の栓刃１３ａ）の回動位置を取り付け完了位置に固定する位置決め部を兼用している。したがって、構造の簡略化を図ることができる。
【００６０】
次に、プラグ１をダクト２から取り外す場合、ユーザが、操作部１４の突条１４ａに指をかけて、操作部１４を下方に押し下げることによって、操作部１４の嵌合部１４ｂは、下方に変位して、ダクト２の開口部２１ｄとの嵌合状態が解除される。そして、操作部１４が下方に変位することによって、栓刃１３ａは、柱体部１２ａ内に収納され、栓刃１３ａの先端は導体２２から離れる。このとき、圧縮されたばね５３のばね力によって、栓刃１３ａは迅速に移動するので、アーク放電が発生したとしても速やかに遮断される。
【００６１】
そして、プラグ取付部１２は、プラグ１が他方向へ回動することによって、取付板１２ｂが、挿入溝２１ｆに挟み込まれながら摺動する。
【００６２】
プラグ１が他方向へ回動している間、操作部１４の嵌合部１４ｂの上端が、ダクト２の前壁部２１ｃの外面に当接（干渉）している。したがって、操作部１４は下方に変位して、嵌合部１４ｂの上端は、ダクト２の前壁部２１ｃの外面に摺動した状態を維持する。したがって、栓刃１３ａは、柱体部１２ａ内に収納されており、栓刃１３ａは、導体２２に接触することがない。すなわち、プラグ１が他方向へ回動している間、灯具３への給電が開始されることがないので、栓刃１３ａと導体２２との間にアーク放電が発生することを抑制することができる。
【００６３】
そして、プラグ取付部１２が他方向へ略９０度回動すると、取付板１２ｂの突出方向（栓刃１３ａの突出方向）がダクト２の長手方向に一致し、プラグ取付部１２をダクト２の開口部２１ｄから外すことができる。
【００６４】
すなわち、プラグ取付部１２が他方向へ９０度回動するまでに、栓刃１３ａの先端面が導体２２の表面に十分に接触していない中途半端な接触状態が発生することがない。したがって、ダクト２からプラグ１を取り外す際に、栓刃１３ａと導体２２との間に発生するアーク放電を抑制でき、過熱等の不具合を防止することができる。
【００６５】
特に、直流給電では、交流給電とは異なり、アーク放電が継続する傾向にあるが、本実施形態では、プラグ１をライティングダクト２に着脱する間、直流給電であっても、刃１３ａと導体２２との間に発生するアーク放電を抑制できる。
【００６６】
（実施形態２）
図６は、本実施形態の開閉部６の概念を示し、図７（ａ）（ｂ）は、本実施形態のプラグ１の外観を示す。なお、実施形態１と同様の構成には同一の符号を付して説明は省略する。
【００６７】
まず、開閉部６は、プラグ本体１１内において、操作部１４が一対の導体板１３に連結して、栓刃１３ａが、操作部１４の上下方向の変位に連動して上下方向に移動することで構成される。なお、操作部１４と一対の導体板１３との連結構造は、樹脂成形品による連結部材等の周知技術を用いて実現可能であり、詳細な説明は省略する。
【００６８】
また、操作部１４の裏面には、下面を開放してばね６１を収容するばね収容部６２を形成し、ばね６１の上端は、ばね収容部６２の底面に当接し、ばね６１の下端は、プラグ本体１１内に設けた図示しない構造体に当接する。そして、操作部１４が上限に位置する場合、ばね６１は平衡位置にあり、操作部１４を下方へ変位させた場合、ばね６１が圧縮するように構成されている。
【００６９】
さらに、図７（ａ）に示すように、プラグ取り付け部１２の柱体部１２ａにおいて、栓刃１３ａが突出する各箇所に、矩形の開口１２ｄが形成されている。開口１２ｄの上下方向の寸法は、栓刃１３ａが上下方向に移動可能な長さに形成されている。
【００７０】
そして、操作部１４に下方向の力を加えて、操作部１４を下方向に変位させた場合、操作部１４は、ばね６１のばね力に抗して、ばね６１を圧縮しながら下方へ移動する。このとき、操作部１４に連結した一対の導体板１３も下方へ移動し、栓刃１３ａは、開口１２ｄの下方に位置する。そして、操作部１４の上端に形成した嵌合部１４ｂは、溝部１１ａの開放端より下方に収まり、ばね６１は圧縮状態になる。ここで、図７（ａ）のように操作部１４を下方に変位させた状態が、開閉部６によって灯具３への電力供給路を遮断させる遮断位置になる。
【００７１】
次に、操作部１４に加わる下方向の力が解除された場合、図７（ｂ）に示すように、圧縮状態にあるばね６１の伸張力によって、操作部１４は上方に移動する。このとき、操作部１４に連結した一対の導体板１３も上方へ移動し、栓刃１３ａは、開口１２ｄの上方に位置する。そして、操作部１４の上端に形成した嵌合部１４ｂが、溝部１１ａの開放端より上方に突出する。ここで、図７（ｂ）のように操作部１４を上方に変位させた状態が、開閉部６によって灯具３への電力供給路を導通させる導通位置になる。
【００７２】
このようなプラグ１をダクト２に着脱するときの動作について、図７（ａ）（ｂ）、図８（ａ）（ｂ）および図９を用いて、以下説明する。
【００７３】
まず、図９に示すように、本実施形態のダクト２の両側壁部２１ｂの各内面には、突壁２１ｉ，２１ｊが、ダクト２の長手方向に沿って立設している。突壁２１ｉと前壁部２１ｃとの間には、挿入溝２１ｋがケース２１の長手方向に沿って形成される。さらに、突壁２１ｉ，２１ｊの間には、挿入溝２１ｍがケース２１の長手方向に沿って形成される。そして、挿入溝２１ｍの上側面（突壁２１ｊの下面）に長尺状の導体２２が、その下面を露出して埋め込まれている。
【００７４】
まず、プラグ１をダクト２に取り付ける場合、プラグ１のプラグ取付部１２は、取付板１２ｂの突出方向（栓刃１３ａの突出方向）をダクト２の長手方向に合わせた状態で、ダクト２の開口部２１ｄに挿入される。このとき、操作部１４の嵌合部１４ｂの上端が、ダクト２の前壁部２１ｃの外面に当接（干渉）し、操作部１４は下方に変位する。したがって、図７（ａ）に示すように、栓刃１３ａは、開口１２ｄ内を下方に移動する。そして、開口部２１ｄに挿入されたプラグ取付部１２は、プラグ１が一方向へ回動することによって、取付板１２ｂが、挿入溝２１ｋに挟み込まれながら摺動する。
【００７５】
プラグ１が一方向へ回動している間、操作部１４の嵌合部１４ｂの上端が、ダクト２の前壁部２１ｃの外面に当接（干渉）している。したがって、操作部１４は、下方に変位して、前壁部２１ｃの外面に摺動した状態を維持するので、栓刃１３ａは、挿入溝２１ｍの下方に位置した状態で、挿入溝２１ｍ内を移動する。このとき、図８（ａ）に示すように、栓刃１３ａ上に設けた略半球状の接点部１３ｉは、導体２２から離間している。すなわち、プラグ１が一方向へ回動している間、灯具３への給電が開始されることがないので、栓刃１３ａと導体２２との間にアーク放電が発生することを抑制することができる。なお、図８（ａ）は、後述の図８（ｂ）と比較しやすいように、プラグ１が一方向へ９０度回動した状態において、操作部１４を下方に変位させた状態を示している。
【００７６】
そして、プラグ取付部１２が一方向へ略９０度回動すると、プラグ本体１１の切欠部１１ｂが、ケース２１の凸部２１ｈに係止する。このとき、プラグ取付部１２は、取付板１２ｂの突出方向がダクト２の短手方向に一致した状態となり、操作部１４の嵌合部１４ｂは、ダクト２の開口部２１ｄに対向して位置する。そして、図７（ｂ）に示すように、操作部１４は、圧縮状態にあるばね６１の伸張力によって上方に移動する。このとき、図８（ｂ）に示すように、操作部１４に連結した一対の導体板１３も上方へ移動して、栓刃１３ａは挿入溝２１ｍの上方に移動し、接点部１３ｉは導体２２に接触する。
【００７７】
すなわち、プラグ取付部１２が一方向へ９０度回動するまでに、栓刃１３ａが導体２２の表面に十分に接触していない中途半端な接触状態が発生することがない。また、プラグ取付部１２が一方向へ９０度回動した取り付け完了位置では、ばね６１の伸張力によって、迅速に、栓刃１３ａの接点部１３ｉが導体２２の表面に十分に接触するため、アーク放電の発生は抑制される。したがって、ダクト２にプラグ１を取り付ける際に、栓刃１３ａと導体２２との間に発生するアーク放電を抑制でき、過熱等の不具合を防止することができる。
【００７８】
なお、取り付け完了位置とは、栓刃１３ａの接点部１３ｉが導体２２の表面に十分に接触することが可能になる回動位置のことである。
【００７９】
また、取り付け完了位置において、操作部１４の嵌合部１４ｂは、上方に変位して、ダクト２の開口部２１ｄに嵌まり込むことによって、操作部１４は、プラグ１（の栓刃１３ａ）の回動位置を取り付け完了位置に固定する位置決め部を兼用している。したがって、構造の簡略化を図ることができる。
【００８０】
次に、プラグ１をダクト２から取り外す場合、ユーザが、操作部１４の突条１４ａに指をかけて、操作部１４を下方に押し下げることによって、操作部１４の嵌合部１４ｂは、下方に変位して、ダクト２の開口部２１ｄとの嵌合状態が解除される。そして、操作部１４が下方に変位することによって、栓刃１３ａも開口１２ｄ内を下方に移動し、接点部１３ｉは導体２２から離れる。
【００８１】
そして、プラグ取付部１２は、プラグ１が他方向へ回動することによって、取付板１２ｂが、挿入溝２１ｋに挟み込まれながら摺動する。
【００８２】
プラグ１が他方向へ回動している間、操作部１４の嵌合部１４ｂの上端が、ダクト２の前壁部２１ｃの外面に当接（干渉）している。したがって、操作部１４は下方に変位して、嵌合部１４ｂの上端は、ダクト２の前壁部２１ｃの外面に摺動した状態を維持する。したがって、栓刃１３ａは、挿入溝２１ｍの下方に位置した状態で、挿入溝２１ｍ内を移動する。このとき、栓刃１３ａ上に設けた略半球状の接点部１３ｉは、導体２２から離間している。すなわち、プラグ１が他方向へ回動している間、灯具３への給電が開始されることがないので、栓刃１３ａと導体２２との間にアーク放電が発生することを抑制することができる。
【００８３】
そして、プラグ取付部１２が他方向へ略９０度回動すると、取付板１２ｂの突出方向（栓刃１３ａの突出方向）がダクト２の長手方向に一致し、プラグ取付部１２をダクト２の開口部２１ｄから外すことができる。
【００８４】
すなわち、操作部１４を下方へ移動させた後、プラグ取付部１２が他方向へ９０度回動するまでに、栓刃１３ａが導体２２の表面に十分に接触していない中途半端な接触状態が発生することがない。したがって、ダクト２からプラグ１を取り外す際に、栓刃１３ａと導体２２との間に発生するアーク放電を抑制でき、過熱等の不具合を防止することができる。
【００８５】
特に、直流給電では、交流給電とは異なり、アーク放電が継続する傾向にあるが、本実施形態では、プラグ１をライティングダクト２に着脱する間、直流給電であっても、刃１３ａと導体２２との間に発生するアーク放電を抑制できる。
【００８６】
（実施形態３）
本実施形態では、２つの操作部「操作部７」「操作部１４」を備える。そして、操作部７が、本発明の「開閉部によって電力供給路を導通させる導通位置、開閉部によって電力供給路を遮断させる遮断位置の間を変位する操作部」に相当する。また、操作部１４が、本発明の「栓刃を取り付け完了位置に固定する位置決め部」に相当する。
【００８７】
図１０、図１１は、本実施形態の操作部７（本発明の操作部に相当する）を用いた開閉部８の概略を示し、図１２〜図１４は、本実施形態のプラグ１の一部破断した構成を示す。なお、実施形態１と同様の構成には同一の符号を付して説明は省略する。
【００８８】
操作部７は、プラグ本体１１内において、開閉部８に連結している。
【００８９】
まず、操作部７は、プラグ本体１１の側面において、操作部１４（本発明の位置決め部に相当する）から略９０度間隔の位置に回転可能に設けられる。この操作部７は、略矩形の平板状に形成されて、ユーザが操作する略矩形の操作片７ａと、略矩形の操作片７ａの長手方向の一方側に偏倚して形成された軸受部７ｂとで構成される。
【００９０】
開閉部８は、回転軸８１、一対の回転板８２、一対の端子板８３を主要素として備える。
【００９１】
回転軸８１は、その軸方向を一対の導体板１３の並設方向（栓刃１３ａの突出方向）とし、回転軸８１の一端は、操作部７の軸受部７ｂに接続している。この回転軸８１には、一対の回転板８２が、一対の導体板１３の配置間隔と略同じ間隔をあけて取り付けられている。回転板８２は、回転軸８１が挿通する軸通部８２ａと、軸通部８２ａに一体に設けられて、回転軸８１の径方向に延設された板状の羽根部８２ｂとで構成される。そして、操作部７が、回転軸８１を中心として回転することによって、回転板８２も回転軸８１を中心として回転する。回転板８２の羽根部８２ｂは、略矩形の操作片７ａの長手方向に沿って取り付けられている。なお、操作片７ａの方向と羽根部８２ｂの方向とは、互いに逆方向になる。
【００９２】
一対の端子板８３は、回転軸８１の軸方向に並んで、一対の回転板８２の各下方に配置され、且つ導体板１３に設けた固定片１３ｃの中央片１３ｆに対向している。この端子板８３は、弾性を有する導電部材で形成されており、棒状の撓み部８３ａと、撓み部８３ａの一端をＬ字状に曲折した接点部８３ｂとで構成される。撓み部８３ａの他端は、灯具３に電気的に接続しており、灯具３に至る電力供給路の一部を構成する。
【００９３】
そして、図１０に示すように、操作片７ａの長手方向が水平方向になる位置（遮断位置）にある場合、羽根部８２ｂも水平方向を向いている。このとき、羽根部８２ｂは端子板８３の撓み部８３ａと離間しており、端子板８３の接点部８３ｂは、固定片１３ｃの中央片１３ｆに接触していない。すなわち、開閉部８は、灯具３への電力供給路を遮断している。
【００９４】
次に、図１１に示すように、操作片７ａの長手方向が上方向になる位置（導通位置）にまで回転した場合、回転板８２が回転して羽根部８２ｂは下方向に向き、羽根部８２ｂは端子板８３の撓み部８３ａに当接する。撓み部８３ａは、羽根部８２ｂの回転力によって固定片１３ｃ側へ撓み、端子板８３の接点部８３ｂは、固定片１３ｃの中央片１３ｆに接触する。すなわち、開閉部８は、灯具３への電力供給路を導通させている。
【００９５】
このようなプラグ１をダクト２に着脱するときの動作について、図１０〜図１５を用いて、以下説明する。
【００９６】
まず、図１２に示すように、プラグ１をダクト２に取り付ける場合、プラグ１のプラグ取付部１２は、取付板１２ｂの突出方向（栓刃１３ａの突出方向）をダクト２の長手方向に合わせた状態で、ダクト２の開口部２１ｄに挿入される。このとき、操作片７ａは、長手方向が水平方向になる遮断位置である。したがって、開閉部８において、羽根部８２ｂは端子板８３の撓み部８３ａと離間しており、端子板８３の接点部８３ｂは、固定片１３ｃの中央片１３ｆに接触していない。すなわち、開閉部８は、灯具３への電力供給路を遮断している（図１０参照）。
【００９７】
そして、開口部２１ｄに挿入されたプラグ取付部１２は、プラグ１が一方向へ回動することによって、取付板１２ｂが、挿入溝２１ｆに挟み込まれながら摺動する。このとき、栓刃１３ａも、その突出方向がダクト２の長手方向に一致した状態から、挿入溝２１ｇに挟み込まれながら摺動する。そして、プラグ取付部１２が略９０度回動するまでに、栓刃１３ａの先端面が導体２２の表面に十分に接触していない中途半端な接触状態が発生するが、開閉部８によって灯具３への電力供給路が遮断されているので、アーク放電が発生することはない。
【００９８】
また、プラグ１が一方向へ回動している間、操作片７ａを、長手方向が水平方向になる遮断位置から、長手方向が上下方向になる導通位置に切り替えようとしても、操作片７ａはダクト２の前壁部２１ｃの外面に干渉する。したがって、回動中に、操作片７ａの回転位置を、遮断位置から導通位置に切り替えることはできないため、灯具３への電力供給路が導通することはない。
【００９９】
そして、図１３に示すように、プラグ取付部１２が一方向へ略９０度回動すると、プラグ本体１１の切欠部１１ｂが、ケース２１の凸部２１ｈに係止する。このとき、プラグ取付部１２は、取付板１２ｂの突出方向がダクト２の短手方向に一致した状態となり、操作部１４の嵌合部１４ｂは、ダクト２の開口部２１ｄに対向して位置する。そして、ユーザが、操作部１４の突条１４ａに指をかけて、操作部１４を上方に押し上げることによって、操作部１４の嵌合部１４ｂは、上方に変位して、ダクト２の開口部２１ｄに嵌まり込む。嵌合部１４ｂがダクト２の開口部２１ｄに嵌まり込むことによって、プラグ１（の栓刃１３ａ）を取り付け完了位置に固定する。すなわち、操作部１４は、本発明の位置決め部を構成している。
【０１００】
この取り付け完了位置において、栓刃１３ａの突出方向もダクト２の短手方向に一致した状態となり、栓刃１３ａの先端面が導体２２の表面に十分に接触する。そして、図１４に示すように、ユーザが操作片７ａの回転位置を、遮断位置から導通位置に切り替えることによって、開閉部８によって、灯具３への電力供給路が導通する（図１１参照）。このとき、栓刃１３ａの先端面は導体２２の表面に十分に接触しているので、栓刃１３ａと導体２２との間に発生するアーク放電を抑制でき、過熱等の不具合を防止することができる。
【０１０１】
なお、取り付け完了位置とは、栓刃１３ａの先端面が導体２２の表面に十分に接触することが可能になる回動位置のことである。
【０１０２】
次に、プラグ１をダクト２から取り外す場合、まず、ユーザが操作片７ａの回転位置を、導通位置から遮断位置に切り替えることによって、開閉部８によって、灯具３への電力供給路が遮断される。このとき、撓み部８３ａのばね力によって、接点部８３ｂは固定片１３ｃの中央片１３ｆから迅速に離れるので、アーク放電が発生したとしても速やかに遮断される。
【０１０３】
また、ユーザが操作部１４の突条１４ａに指をかけて、操作部１４を下方に押し下げることによって、操作部１４の嵌合部１４ｂは、下方に変位して、ダクト２の開口部２１ｄとの嵌合状態が解除される。
【０１０４】
そして、プラグ取付部１２は、プラグ１が他方向へ回動することによって、取付板１２ｂが、挿入溝２１ｆに挟み込まれながら摺動する。プラグ１が他方向へ回動している間、操作片７ａを、遮断位置から導通位置に切り替えようとしても、操作片７ａがダクト２の前壁部２１ｃの外面に干渉する。したがって、回動中に、操作片７ａの回転位置を、遮断位置から導通位置に切り替えることはできないため、灯具３への電力供給路が導通することはない。
【０１０５】
そして、プラグ取付部１２が他方向へ略９０度回動すると、取付板１２ｂの突出方向（栓刃１３ａの突出方向）がダクト２の長手方向に一致し、プラグ取付部１２をダクト２の開口部２１ｄから外すことができる。
【０１０６】
すなわち、プラグ取付部１２が他方向へ９０度回動するまでに、灯具３への電力供給路が導通することはない。したがって、ダクト２からプラグ１を取り外す際に、栓刃１３ａと導体２２との間に発生するアーク放電を抑制でき、過熱等の不具合を防止することができる。
【０１０７】
特に、直流給電では、交流給電とは異なり、アーク放電が継続する傾向にあるが、本実施形態では、プラグ１をライティングダクト２に着脱する間、直流給電であっても、刃１３ａと導体２２との間に発生するアーク放電を抑制できる。
【０１０８】
また、操作部７を導通位置にした状態でプラグ１をダクト２に取り付けた場合、図１５に示すように、操作部７の操作片７ａが、ダクト２の開口部２１ｄに嵌まり込む。したがって、プラグ１を回動させることは不可能であり、灯具３への電力供給路が導通することはない。
【０１０９】
（実施形態４）
図１６は、実施形態１乃至３いずれかのプラグ１、ダクト２を用いた照明システムである。また、プラグ１にアーム４を介して灯具３が取り付けられることによって照明器具Ｋを構成している。なお、実施形態１乃至３いずれかと同様の構成には同一の符号を付して、説明は省略する。
【０１１０】
ダクト２は、天井面に取り付けられており、天井裏には、直流電源装置ＰＳが配置されている。直流電源装置ＰＳが出力する直流電圧は、配線Ｗを介してダクト２の端部に設けたフィードイン部ＦＤに入力される。ダクト２の導体２２は、フィードイン部ＦＤに入力された直流電圧が印加される。
【０１１１】
そして、ダクト２には、１乃至複数の照明器具Ｋ（図１６では３台）が装着されており、照明器具Ｋの各々は、ダクト２から直流電圧を供給されて、点灯する。
【０１１２】
本実施形態の照明器具Ｋ、照明システムにおいても、プラグの着脱時にプラグの栓刃とダクトの導体との間に発生するアーク放電を抑制し、過熱等の不具合の発生を防止できる。
【符号の説明】
【０１１３】
１  プラグ
２  ダクト
５  開閉部
１３ａ  栓刃
１４  操作部
２１  ケース
２１ｄ  開口部
２２  導体
【図１】
2014032870.tif 000003
【図２】
2014032870.tif 000004
【図３】
2014032870.tif 000005
【図４】
2014032870.tif 000006
【図５】
2014032870.tif 000007
【図６】
2014032870.tif 000008
【図７】
2014032870.tif 000009
【図８】
2014032870.tif 000010
【図９】
2014032870.tif 000011
【図１０】
2014032870.tif 000012
【図１１】
2014032870.tif 000013
【図１２】
2014032870.tif 000014
【図１３】
2014032870.tif 000015
【図１４】
2014032870.tif 000016
【図１５】
2014032870.tif 000017
【図１６】
2014032870.tif 000018
【図１７】
2014032870.tif 000019
【図１８】
2014032870.tif 000020